(57)【要約】      （修正有）【課題】リバーシブルに使用することができるとともにバックル本体へのベルト体の挿入に係る作業を好適に行うことが可能な二色ベルトを提供する。【解決手段】二色ベルトは、ベルト体１と、バックル２と、ベルト先端部材３と、を有している。ベルト体１は、編み織りにより互いに異なる二種類の色を備えて形成された表面１１及び裏面１２を有している。バックルのバックル本体２１は、上案内部と、下案内部と、を有している。【選択図】図１
0003222999.tif 000002
【実用新案登録請求の範囲】
【請求項１】
弾性を有するとともに編物構造を用いてリボン形状に形成されたベルト体と、
バックル本体と該バックル本体前側に枢設したバックルループとバックルピンとを含み、該バックル本体にはバックル片体が可動可能な状態で連接され、該バックル片体の一端側には該ベルト体の表面もしくは裏面を咬合するための複数歯形を有する咬合部が間隔を開けて設置され、該バックル本体の外側にはベルト体を通すためのベルト定位ホルダーが設けられたバックルと、
該ベルト体の後端に縫製連結され、該ベルト先端は柔軟性及び強靭性を備えたプラスチックを原材料として用いた一体射出成形により形成され、該バックルピンを挿入可能な形状を有する複数個のベルト穴が設けられたベルト先端部材と、を有して構成された二色ベルトにおいて、
該ベルト体は編み織りにより互いに異なる二種類の色を備えて形成された表面及び裏面を有し、該ベルト体の該表面及び該裏面のうちの一方の面が該バックルの該バックル片体の複数の歯形の咬合部に咬合され、且つ該バックルにおける該バックル本体の内側に開放槽が設けられ、該バックル本体に上レール及び下レールが設けられ、該開放部のうちの該上レールに隣接する部分に上案内部が設けられ、該開放部のうちの該下レールに隣接しかつ該上案内部に相対する部分に下案内部が設けられていることを特徴とする二色ベルト。
【請求項２】
前記上レールの端部と前記下レールの端部との間には、前記バックル片体が可動可能な状態で接続されていることを特徴とする請求項１記載の二色ベルト。
【請求項３】
前記上案内部及び前記下案内部各々は、前記ベルト体の厚みよりも大きな幅を有して形成されていることを特徴とする請求項１記載の二色ベルト。
【考案の詳細な説明】
【技術分野】
【０００１】
本考案は、二色ベルトに関するものである。
【背景技術】
【０００２】
弾性を有するとともに編物構造を用いてリボン形状に形成されたベルト体は、一般的に、表面及び裏面が同一色である。
【考案の概要】
【考案が解決しようとする課題】
【０００３】
例えば、使用者が二種類の色のうちの所望の一方の色を選択して使用する場合において、当該使用者が異なる色の二種類のベルト体を備える２つのベルトを購入しなければならない。そのため、使用者が余分な金銭的負担を受けるとともに余分な収納空間を準備しなければならないという課題が生じている。
【０００４】
また、例えば、使用者がベルト体を必要な長さまで裁断して当該ベルト体の長さを調節する場合において、裁断後のベルト体をベルトのバックル本体に挿入する際の挿入位置を合わせにくいという課題、及び、当該バックル本体に挿入された当該裁断後のベルト体におけるベルト基端の位置が本来の位置からずれてしまい易いという課題が生じている。
【０００５】
本考案は、前述した事情に鑑みてなされたものであり、リバーシブルに使用することができるとともにバックル本体へのベルト体の挿入に係る作業を好適に行うことが可能な二色ベルトを提案することを目的としている。
【課題を解決するための手段】
【０００６】
本考案の二色ベルトは、弾性を有するとともに編物構造を用いてリボン形状に形成されたベルト体と、バックル本体と該バックル本体前側に枢設したバックルループとバックルピンとを含み、該バックル本体にはバックル片体が可動可能な状態で連接され、該バックル片体の一端側には該ベルト体の表面もしくは裏面を咬合するための複数歯形を有する咬合部が間隔を開けて設置され、該バックル本体の外側にはベルト体を通すためのベルト定位ホルダーが設けられたバックルと、該ベルト体の後端に縫製連結され、該ベルト先端は柔軟性及び強靭性を備えたプラスチックを原材料として用いた一体射出成形により形成され、該バックルピンを挿入可能な形状を有する複数個のベルト穴が設けられたベルト先端部材と、を有して構成された二色ベルトにおいて、該ベルト体は編み織りにより互いに異なる二種類の色を備えて形成された表面及び裏面を有し、該ベルト体の該表面及び該裏面のうちの一方の面が該バックルの該バックル片体の複数の歯形の咬合部に咬合され、且つ該バックルにおける該バックル本体の内側に開放槽が設けられ、該バックル本体に上レール及び下レールが設けられ、該開放部のうちの該上レールに隣接する部分に上案内部が設けられ、該開放部のうちの該下レールに隣接しかつ該上案内部に相対する部分に下案内部が設けられている。
【考案の効果】
【０００７】
本考案の二色ベルトによれば、リバーシブルに使用することができるとともにバックル本体へのベルト体の挿入に係る作業を好適に行うことができる。
【図面の簡単な説明】
【０００８】
【図１】本考案の実施例に係る図。
【図２】本考案の実施例に係るバックル及びベルト体の拡大図。
【図３】本考案の実施例に係るバックルのバックル片体がベルト体の表面の一部を咬合する前の状態を示す図。
【図４】本考案の実施例に係るバックルのバックル片体がベルト体の裏面の一部を咬合する前の状態を示す図。
【図５】本考案の実施例に係るベルト体の表面の一部がバックル片体で咬合された状態を示す図。
【図６】本考案の実施例に係るベルト体の裏面の一部がバックル片体で咬合された状態を示す図。
【考案を実施するための形態】
【０００９】
以下に図面を参照しながら本考案を実施するための最良の形態について詳細に説明する。
【００１０】
図１〜図６に示すように、本考案の二色ベルトは、ベルト体１と、バックル２と、ベルト先端部材３と、を有して構成されている。
【００１１】
ベルト体１は、弾性を有するとともに編物構造を用いてリボン形状に形成されている。
【００１２】
バックル２は、バックル本体２１と、バックル本体２１の前側に枢設したバックルループ２２と、バックルピン２３と、を有して構成されている。バックル本体２１には、バックル片体２４が可動可能な状態で連接されている。該バックル片体２４の一端側には、該ベルト体１の表面１１ (図１、図３及び図５参照) の一部もしくは裏面１２ (図１、図４及び図６参照) の一部を咬合するための複数歯形を有する咬合部２４１が間隔を開けて設置されている。バックル本体２１の外側には、ベルト体１を通すためのベルト定位ホルダー２１５(図２参照)が設けられている。
【００１３】
ベルト先端部材３は、ベルト体１の端部に縫製連接されている。ベルト先端部材３は、柔軟性及び強靭性を備えたプラスチックを原材料として用いた一体射出成形により形成されている。ベルト先端部材３には、バックルピン２３を挿入可能な形状を有する複数個のベルト穴３１が設けられている。そして、このような構成によれば、複数個のベルト穴３１のうちのひとつにバックルピン２３を挿入することができる。
【００１４】
ベルト体１は、編み織りにより互いに異なる二種類の色を備えて形成された表面１１及び裏面１２を有している。具体的には、例えば、ベルト体１の表面１１が白色部１１１(図１〜図２、図３及び図５参照)を有して形成されているとともに、ベルト体１の裏面１２が赤色部１２１(図１、図４及び図６参照)を有して形成されている。
【００１５】
バックル２におけるバックル本体２１の内側には、開放部２１０が設けられている。また、バックル本体２１には、上レール２１１(図２参照)及び下レール２１２（図２参照）が設けられている。また、バックル本体２１における上レール２１１の端部と下レール２１２の端部との間には、バックル片体２４が可動可能な状態で接続されている。また、開放部２１０のうちの上レール２１１に隣接する部分には、上案内部２１３(図２参照)が設けられている。また、開放部２１０のうちの下レール２１２に隣接しかつ上案内部２１３に相対する部分には、下案内部２１４(図２参照)が設けられている。また、上案内部２１３及び下案内部２１４各々は、ベルト体１の厚みよりも大きな幅を有して形成されている。
【００１６】
本考案によれば、例えば、使用者が、ベルト体１の表面１１及び裏面１２のうちの一方の面を選択し、当該選択した一方の面を咬合部２４１で咬合させるような作業を行うことにより、ベルト体１をリバーシブルに使用することができる。つまり、本考案によれば、ベルト体１の使用時において、二種類の異なる色から所望の一方の色を選択することができる。そのため、本考案のベルト体１によれば、例えば、消費者に対して割安感を与えることができるとともに、使用者における利便性及び実用性を実現することができる。
【００１７】
本考案によれば、例えば、使用者が、ベルト体１のベルト基端部１０を、上レール２１１及び下レール２１２の位置に対応する挿入位置に合わせた状態において、上案内部２１３及び下案内部２１４に沿ってバックル本体２１に挿入することができる。そのため、本考案によれば、例えば、ベルト体１を裁断して長さを調整する場合、及び、ベルト体１の表面１１と裏面１２とを入れ替える場合等において生じる作業である、バックル本体２１へのベルト体１（ベルト基端部１０）の挿入に係る作業を好適に行うことができる。
【符号の説明】
【００１８】
１  ベルト体
１０  ベルト基端部
１１  表面
１１１  白色部
１２  裏面
１２１  赤色部
２  バックル
２１  バックル本体
２１０  開放部
２１１  上レール
２１２  下レール
２１３  上案内部
２１４  下案内部
２１５  ベルト定位ホルダー
２２  バックルループ
２３  バックルピン
２４  バックル片体
２４１  咬合部
３  ベルト先端部材
３１  ベルト穴
【図１】
0003222999.tif 000003
【図２】
0003222999.tif 000004
【図３】
0003222999.tif 000005
【図４】
0003222999.tif 000006
【図５】
0003222999.tif 000007
【図６】
0003222999.tif 000008